(57)【特許請求の範囲】
【請求項１】
真空インタラプタにおいて、
固定電極と、
前記固定電極に結合される固定接点と、
前記固定接点に接触する位置と前記固定接点から分離される位置とに移動可能な可動接点と、
前記可動接点に結合されて前記可動接点を支持し、前記可動接点と共に移動可能な可動電極と、
前記固定接点及び前記可動接点を内部に収容し、上部と下部が開放されたセラミック容器と、
前記固定電極側に設置され、前記固定電極が貫通する中央貫通口を有する固定側蓋板と、
前記セラミック容器と前記固定側蓋板との間を密閉するように接続され、垂直部と、前記垂直部に対して直角に折り曲げられた水平部と、を有する固定側シールカップと、
前記可動電極側に設置され、前記可動電極が軸方向に移動できるように前記可動電極の外径より大きい直径の中央貫通口を有する可動側蓋板と、
前記セラミック容器と前記可動側蓋板との間を密閉するように接続される可動側シールカップと、
前記可動側蓋板と前記可動電極に両端部がそれぞれ接続されて前記可動側蓋板と前記可動電極との間を密閉し、前記可動電極の軸方向移動によって伸張又は収縮可能な蛇腹管と、
前記セラミック容器と前記固定接点及び前記可動接点との間に固定される中央アーク遮蔽板と、を有し、
前記真空インタラプタは、前記固定側シールカップの前記水平部から前記水平部に対して垂直方向に突設され、前記中央アーク遮蔽板が半径方向に位置合わせされて設置されるように案内する突出案内部をさらに含むことを特徴とする真空インタラプタ。
【請求項２】
前記突出案内部は、１つの円形の突出案内部で構成される、請求項１に記載の真空インタラプタ。
【請求項３】
前記突出案内部は、１つの円周に沿って形成される複数の円弧状の突出案内部で構成される、請求項１に記載の真空インタラプタ。
【請求項４】
前記突出案内部は、１つの円周に沿って形成される複数の突起案内部で構成される、請求項１に記載の真空インタラプタ。
【請求項５】
１つの円形の突出案内部の直径、又は複数の円弧状の突出案内部が形成する１つの円周の直径は、前記中央アーク遮蔽板の内部に圧入可能に、前記中央アーク遮蔽板の内径に対応するように決定される、請求項２または３に記載の真空インタラプタ。
【請求項６】
前記突出案内部は、プレスによりエンボス形成された突出案内部である、請求項１乃至５のいずれか一項に記載の真空インタラプタ。
【発明の詳細な説明】
【技術分野】
【０００１】
本発明は、真空インタラプタに関し、特に、真空インタラプタに中央アーク遮蔽板を設置する際に半径方向の一側に偏らないように位置合わせを案内するための突出案内部を有する固定側シールカップを含む真空インタラプタに関する。
【背景技術】
【０００２】
真空インタラプタは、内部が真空状態の容器内に接点を配設して高電圧又は超高電圧の電力回路を開閉する際に発生するアークを迅速に消弧する電力機器であって、可動接点を開閉駆動する開閉機構、アクチュエータ、トリップ制御部などと共に真空回路遮断器の中核部品として組み込まれ、発電所、変電所、又は大口電力需要家の配電盤などで使用される。
【０００３】
以下、図６を参照して従来の真空インタラプタの構成及び作用を説明する。
【０００４】
図６に示すように、真空インタラプタ１００は、固定電極１、固定接点２、可動電極３、可動接点４、セラミック容器８、固定側蓋板９、固定側シールカップ１０、可動側蓋板１３、可動側シールカップ７、蛇腹管（ベローズ）５、及び中央アーク遮蔽板１１を含む。
【０００５】
真空インタラプタ１００は、蛇腹管保護用の第１遮蔽板６、蛇腹管保護用の第２遮蔽板７ａ、及びスプラッシュ遮蔽板１２をさらに含んでもよい。
【０００６】
固定電極１は、位置が固定されている電極であって、導電材からなる棒で構成され、電力回路において電源側と電気的に接続できるようになっている。
【０００７】
固定接点２は、溶接などの接続方法により固定電極１の先端部に結合され、導電材からなるディスクで構成されてもよい。
【０００８】
可動接点４は、固定接点２に接触する位置と固定接点２から分離される位置とに移動可能な接点であり、導電材からなるディスクで構成されてもよい。
【０００９】
可動電極３は、溶接などの接続方法により可動接点４に結合されて可動接点４を支持し、可動接点４と共に移動可能である。可動電極３は、導電材で構成され、電力回路において負荷側と電気的に接続できるようになっている。
【００１０】
セラミック容器８は、固定接点２及び可動接点４を内部に収容する外箱部であって、上部と下部が開放された管状の構造を有する。
【００１１】
固定側蓋板９は、固定電極１が貫通する中央貫通口を有する環状の部材であって、固定電極１側に設けられてセラミック容器８の上部又は下部の開放面を密閉する。
【００１２】
固定側シールカップ１０は、セラミック容器８と固定側蓋板９との間を密閉するように接続される手段であって、一断面がＬ字状で全体として環状である金属材で構成されてもよい。固定側シールカップ１０は、溶接によりセラミック容器８と固定側蓋板９にそれぞれ接続されるようにしてもよい。
【００１３】
可動側蓋板１３は、可動電極３が軸方向に移動できるように可動電極３の外径より大きい直径の中央貫通口を有する環状の部材であって、可動電極３側に設けられてセラミック容器８の上部又は下部の開放面を密閉する。
【００１４】
可動側シールカップ７は、セラミック容器８と可動側蓋板１３との間を密閉するように接続される手段であって、一断面がＬ字状で全体として環状である金属材で構成されてもよい。可動側シールカップ７は、溶接によりセラミック容器８と可動側蓋板１３にそれぞれ接続されるようにしてもよい。
【００１５】
蛇腹管５は、可動側蓋板１３と可動電極３に両端部がそれぞれ接続されて可動側蓋板１３と可動電極３との間を密閉する手段である。蛇腹管５は、複数段の金属製蛇腹で構成され、可動電極３の軸方向移動によって伸張又は収縮する。
【００１６】
中央アーク遮蔽板１１は、セラミック容器８と接点（すなわち、固定接点２及び可動接点４）との間に固定され、接点開閉時に固定接点２と可動接点４との間から発生するアークがセラミック容器８の内壁側に直接当たらないように遮蔽する。
【００１７】
蛇腹管保護用の第１遮蔽板６は、Ｕ字状の縦断面を有して上部と下部が開放された管状の遮蔽板であって、一開放端部が溶接により可動電極３に接続され、蛇腹管５の外側でアークから蛇腹管５のうち可動接点４に隣接する部分を遮蔽して保護する。
【００１８】
蛇腹管保護用の第２遮蔽板７ａは、一断面がフック状で全体として環状である金属部材であって、溶接により可動側シールカップ７に接続される一端部と、当該一端部から蛇腹管５の外側で可動接点４側に延びる他端部とを有する。
【００１９】
スプラッシュ遮蔽板１２は、中央に可動電極３の先端部が貫通できるように通孔が設けられた、例えば金属材からなるディスク状の遮蔽板であって、溶接により可動電極３の先端部に接続され、可動電極３の後方部及び蛇腹管５をアークによる金属蒸気から遮蔽して保護する。
【００２０】
一方、図７及び図８を参照して従来の中央アーク遮蔽板の設置のための構成及び方法をより具体的に説明する。
【００２１】
従来の一例による中央アーク遮蔽板１１は、図７に示すように、固定側蓋板９上で固定側シールカップ１０に密着させて溶接することにより設置される。
【００２２】
また、従来の他の例による中央アーク遮蔽板１１は、図８に示すように、固定側蓋板９上に位置合わせ板１４を設けた状態で位置合わせ板１４に密着させて溶接することにより設置される。
【発明の概要】
【発明が解決しようとする課題】
【００２３】
しかし、従来の一例による中央アーク遮蔽板１１の設置方法は、中央アーク遮蔽板１１が固定側蓋板９上で半径方向の一側に偏らないように案内する手段が提供されないため、中央アーク遮蔽板１１の設置時の位置合わせが容易でないという問題があった。
【００２４】
また、従来の他の例による中央アーク遮蔽板１１の設置方法は、位置合わせ板１４という別途の構成部品を必要とするため、部品点数の増加による真空インタラプタの製造コストの上昇、生産工程の追加による生産性の低下、溶接箇所の増加とそれによる溶接不良箇所の増加の問題があった。
【００２５】
本発明は、このような従来技術の問題を解決するためになされたものであり、中央アーク遮蔽板を設置する際に半径方向の一側に偏らないように位置合わせを案内できるように、固定側シールカップに突出案内部を備えた真空インタラプタを提供することを目的とする。
【課題を解決するための手段】
【００２６】
上記の本発明の目的は、真空インタラプタにおいて、固定電極と、固定電極に結合される固定接点と、固定接点に接触する位置と固定接点から分離される位置とに移動可能な可動接点と、可動接点に結合されて可動接点を支持し、可動接点と共に移動可能な可動電極と、固定接点及び可動接点を内部に収容し、上部と下部が開放されたセラミック容器と、固定電極側に設置され、固定電極が貫通する中央貫通口を有する固定側蓋板と、セラミック容器と固定側蓋板との間を密閉するように接続される固定側シールカップと、可動電極側に設置され、可動電極が軸方向に移動できるように可動電極の外径より大きい直径の中央貫通口を有する可動側蓋板と、セラミック容器と可動側蓋板との間を密閉するように接続される可動側シールカップと、可動側蓋板と可動電極に両端部がそれぞれ接続されて可動側蓋板と可動電極との間を密閉し、可動電極の軸方向移動によって伸張又は収縮可能な蛇腹管と、セラミック容器と固定接点及び可動接点との間に固定される中央アーク遮蔽板と、固定側シールカップから垂直方向に突設され、中央アーク遮蔽板が半径方向に位置合わせされて設置されるように案内する突出案内部とを含むことを特徴とする、本発明による真空インタラプタを提供することにより達成される。
【００２７】
本発明の好ましい一態様によれば、突出案内部は、１つの円形の突出案内部で構成されてもよい。
【００２８】
本発明の好ましい他の一態様によれば、突出案内部は、１つの円周に沿って形成される複数の円弧状の突出案内部で構成されてもよい。
【００２９】
本発明の好ましいさらに他の一態様によれば、突出案内部は、１つの円周に沿って形成される複数の突起案内部で構成されてもよい。
【００３０】
本発明の好ましいさらに他の一態様によれば、１つの円形の突出案内部の直径、又は複数の円弧状の突出案内部が形成する１つの円周の直径は、中央アーク遮蔽板の内部に圧入可能に、中央アーク遮蔽板の内径に対応するように決定されてもよい。
【００３１】
本発明の好ましいさらに他の一態様によれば、突出案内部は、プレスによりエンボス形成された突出案内部であってもよい。
【発明の効果】
【００３２】
本発明による真空インタラプタは、固定側シールカップから垂直方向に突設される突出案内部を含むことにより、中央アーク遮蔽板を設置する際に、突出案内部を中央アーク遮蔽板の内径部に接触するように嵌めるだけで中央アーク遮蔽板が位置合わせされるので、中央アーク遮蔽板の半径方向の位置合わせを案内することができ、中央アーク遮蔽板が半径方向の一側に偏って設置される現象が防止され、設置が容易になるという効果が得られる。
【００３３】
本発明の一実施形態による真空インタラプタによれば、突出案内部が１つの円形の突出案内部で構成されることにより、当該円形の突出案内部を中央アーク遮蔽板の内径部に接触するように嵌めるだけで中央アーク遮蔽板が位置合わせされるので、中央アーク遮蔽板の半径方向の位置合わせを案内することができ、中央アーク遮蔽板が固定側蓋板上で半径方向の一側に偏って設置される現象が防止され、設置が容易になるという効果が得られる。
【００３４】
本発明の他の実施形態による真空インタラプタによれば、突出案内部が１つの円周に沿って形成される複数の円弧状の突出案内部で構成されることにより、当該複数の円弧状の突出案内部を中央アーク遮蔽板の内径部に接触するように嵌めるだけで中央アーク遮蔽板が位置合わせされるので、中央アーク遮蔽板の半径方向の位置合わせを案内することができ、中央アーク遮蔽板が固定側蓋板上で半径方向の一側に偏って設置される現象が防止され、設置が容易になるという効果が得られる。
【００３５】
本発明のさらに他の実施形態による真空インタラプタによれば、突出案内部が１つの円周に沿って形成される複数の突起案内部で構成されることにより、当該複数の突起案内部を中央アーク遮蔽板の内径部に接触するように嵌めるだけで中央アーク遮蔽板が位置合わせされるので、中央アーク遮蔽板の半径方向の位置合わせを案内することができ、中央アーク遮蔽板が固定側蓋板上で半径方向の一側に偏って設置される現象が防止され、設置が容易になるという効果が得られる。
【００３６】
本発明による真空インタラプタによれば、１つの円形の突出案内部の直径、又は複数の円弧状の突出案内部が形成する１つの円周の直径は、中央アーク遮蔽板の内部に圧入可能に、中央アーク遮蔽板の内径に対応するように決定されるので、当該突出案内部を中央アーク遮蔽板の内径部に接触するように嵌めることができるという効果が得られる。
【００３７】
本発明による真空インタラプタは、固定側シールカップの突出案内部の円形、円周状、突起状に対応して突設された型枠上に固定側シールカップを載置してプレスすることにより、簡単にエンボス形成を行うことができ、その構成方法が簡便になるという効果が得られる。
【図面の簡単な説明】
【００３８】
【図１】本発明による真空インタラプタの全体構成を示す縦断面図である。
【図２】本発明の好ましい実施形態による中央アーク遮蔽板の設置のための構成を示す真空インタラプタの部分縦断面図である。
【図３】本発明の好ましい第１実施形態による中央アーク遮蔽板の設置のための構成を示す真空インタラプタの部分横断面図である。
【図４】本発明の好ましい第２実施形態による中央アーク遮蔽板の設置のための構成を示す真空インタラプタの部分横断面図である。
【図５】本発明の好ましい第３実施形態による中央アーク遮蔽板の設置のための構成を示す真空インタラプタの部分横断面図である。
【図６】従来の真空インタラプタの全体構成を示す縦断面図である。
【図７】従来の一例による中央アーク遮蔽板の設置のための構成を示す真空インタラプタの部分縦断面図である。
【図８】従来の他の例による中央アーク遮蔽板の設置のための構成を示す真空インタラプタの部分縦断面図である。
【発明を実施するための形態】
【００３９】
上記の本発明の目的とそれを達成する本発明の構成及び作用効果は、添付の図面を参照した本発明の好ましい実施形態の後述する詳細な説明によりさらに明確に理解できるであろう。
【００４０】
以下、図１〜図５を参照して本発明による真空インタラプタの構成及び作用効果を説明する。
【００４１】
図１に示すように、本発明による真空インタラプタ１００は、固定電極１、固定接点２、可動電極３、可動接点４、セラミック容器８、固定側蓋板９、固定側シールカップ１０’’、可動側蓋板１３、可動側シールカップ７、蛇腹管（ベローズ）５、中央アーク遮蔽板１１、及び突出案内部１０’’ａを含む。
【００４２】
本発明による真空インタラプタ１００は、蛇腹管保護用の第１遮蔽板６、蛇腹管保護用の第２遮蔽板７ａ、及びスプラッシュ遮蔽板１２をさらに含んでもよい。
【００４３】
固定電極１は、位置が固定されている電極であって、導電材からなる棒で構成され、電力回路において電源側と電気的に接続できるようになっている。
【００４４】
固定接点２は、溶接などの接続方法により固定電極１の先端部に結合され、導電材からなるディスクで構成されてもよい。
【００４５】
可動接点４は、固定接点２に接触する位置と固定接点２から分離される位置とに移動可能な接点であり、導電材からなるディスクで構成されてもよい。
【００４６】
可動電極３は、溶接などの接続方法により可動接点４に結合されて可動接点４を支持し、可動接点４と共に移動可能である。可動電極３は、導電材で構成され、電力回路において負荷側と電気的に接続できるようになっている。
【００４７】
セラミック容器８は、固定接点２及び可動接点４を内部に収容する外箱部であって、上部と下部が開放された管状の構造を有する。
【００４８】
固定側蓋板９は、固定電極１が貫通する中央貫通口を有する環状の部材であって、固定電極１側に設けられてセラミック容器８の上部又は下部の開放面を密閉する。
【００４９】
固定側シールカップ１０’’は、セラミック容器８と固定側蓋板９との間を密閉するように接続される手段であって、一断面がＬ字状で全体として環状である金属材で構成されてもよい。固定側シールカップ１０’’は、溶接によりセラミック容器８と固定側蓋板９にそれぞれ接続されるようにしてもよい。
【００５０】
図１及び図２に示すように、突出案内部１０’’ａは、固定側シールカップ１０’’から垂直方向に突設され、中央アーク遮蔽板１１が半径方向に位置合わせされて設置されるように案内する。
【００５１】
可動側蓋板１３は、可動電極３が軸方向に移動できるように可動電極３の外径より大きい直径の中央貫通口を有する環状の部材であって、可動電極３側に設けられてセラミック容器８の上部又は下部の開放面を密閉する。
【００５２】
可動側シールカップ７は、セラミック容器８と可動側蓋板１３との間を密閉するように接続される手段であって、一断面がＬ字状で全体として環状である金属材で構成されてもよい。可動側シールカップ７は、溶接によりセラミック容器８と可動側蓋板１３にそれぞれ接続されるようにしてもよい。
【００５３】
蛇腹管５は、可動側蓋板１３と可動電極３に両端部がそれぞれ接続されて可動側蓋板１３と可動電極３との間を密閉する手段である。蛇腹管５は、複数段の金属製蛇腹で構成され、可動電極３の軸方向移動によって伸張又は収縮する。
【００５４】
中央アーク遮蔽板１１は、セラミック容器８と接点（すなわち、固定接点２及び可動接点４）との間に固定され、接点開閉時に固定接点２と可動接点４との間から発生するアークがセラミック容器８の内壁側に直接当たらないように遮蔽する。
【００５５】
蛇腹管保護用の第１遮蔽板６は、Ｕ字状の縦断面を有して上部と下部が開放された管状の遮蔽板であって、一開放端部が溶接により可動電極３に接続され、蛇腹管５の外側でアークから蛇腹管５のうち可動接点４に隣接する部分を遮蔽して保護する。
【００５６】
蛇腹管保護用の第２遮蔽板７ａは、一断面がフック状で全体として環状である金属部材であって、溶接により可動側シールカップ７に接続される一端部と、当該一端部から蛇腹管５の外側で可動接点４側に延びる他端部とを有する。
【００５７】
スプラッシュ遮蔽板１２は、中央に可動電極３の先端部が貫通できるように通孔が設けられた、例えば金属材からなるディスク状の遮蔽板であって、溶接により可動電極３の先端部に接続され、可動電極３の後方部及び蛇腹管５をアークによる金属蒸気から遮蔽して保護する。
【００５８】
以下、図１を参照して本発明による真空インタラプタ１００の接点開閉動作を簡単に説明する。
【００５９】
図１の可動電極３には、真空インタラプタ１００の接点を開放（開路）又は閉鎖（閉路）する駆動力を与える駆動手段が接続される。駆動手段は、電動機、アクチュエータ、スプリングなどの駆動源、及び当該駆動源に接続される動力伝達手段であるリンクなどから構成される。
【００６０】
駆動手段から可動電極３に真空インタラプタ１００の接点を開放する駆動力が伝達されると、可動電極３は図１の位置から上昇する。
【００６１】
従って、可動電極３の先端に取り付けられた可動接点４が対応する固定接点２から分離されることにより、電力回路の開放動作が完了する。ここで、可動電極３に電力回路の負荷側が電気的に接続され、固定電極１に電力回路の電源側が電気的に接続されていると仮定すると、当該電力回路は電気的に遮断される。
【００６２】
そして、駆動手段から可動電極３に真空インタラプタ１００の接点を閉鎖する駆動力が伝達されると、可動電極３は前述した開放位置から図１の位置に下降する。
【００６３】
従って、可動電極３の先端に取り付けられた可動接点４が対応する固定接点２に接触することにより、電力回路の閉鎖動作が完了する。ここで、可動電極３に電力回路の負荷側が電気的に接続され、固定電極１に電力回路の電源側が電気的に接続されていると仮定すると、当該電力回路は電気的に接続される。
【００６４】
次に、図２〜図５を参照して本発明の好ましい実施形態による真空インタラプタの構成及び作用効果を説明する。
【００６５】
図２〜図５は、本発明の好ましい実施形態による中央アーク遮蔽板の設置のための構成を示す真空インタラプタの部分縦断面図及び部分横断面図であり、本発明の特徴的な構成及び作用効果の理解をより明確にするために、セラミック容器８、中央アーク遮蔽板１１、及び固定側シールカップ１０’’以外の構成は図示及び説明を省略する。
【００６６】
図３は、本発明の好ましい第１実施形態による中央アーク遮蔽板の設置のための構成を示す真空インタラプタの部分横断面図である。図３に示すように、本発明の好ましい第１実施形態によれば、固定側シールカップ１０’’は、突出案内部１０’’ａとして、１つの円周に沿って形成される複数の突起案内部１０’’ａ−１を含む。図２及び図３に示すように、本発明の好ましい第１実施形態による固定側シールカップ１０’’は、セラミック容器８に溶接される垂直部と、垂直部から直角に折り曲げられて水平方向に延びる水平部と、水平部から垂直方向に突設された複数の突起案内部１０’’ａ−１と、固定電極１が貫通できるように中心に形成される中心通孔１０’’ｂとを含む。
【００６７】
図３に示すような本発明の好ましい第１実施形態による固定側シールカップ１０’’に中央アーク遮蔽板１１を設置する方法を説明する。
【００６８】
固定側シールカップ１０’’の複数の突起案内部１０’’ａ−１が中央アーク遮蔽板１１の内径部に接触するように、中央アーク遮蔽板１１の内部に複数の突起案内部１０’’ａ−１を嵌めると、中央アーク遮蔽板１１が半径方向の一側に偏ることなく位置合わせされる。
【００６９】
その後、中央アーク遮蔽板１１の底面と固定側シールカップ１０’’の水平部とを溶接することにより、中央アーク遮蔽板１１の設置を完了することができる。
【００７０】
図４は、本発明の好ましい第２実施形態による中央アーク遮蔽板の設置のための構成を示す真空インタラプタの部分横断面図である。図４に示すように、本発明の好ましい第２実施形態によれば、固定側シールカップ１０’’は、突出案内部１０’’ａとして、１つの円形の突出案内部１０’’ａ−２を含む。図２及び図４に示すように、本発明の好ましい第２実施形態による固定側シールカップ１０’’は、セラミック容器８に溶接される垂直部と、垂直部から直角に折り曲げられて水平方向に延びる水平部と、水平部から垂直方向に突設された１つの円形の突出案内部１０’’ａ−２と、固定電極１が貫通できるように中心に形成される中心通孔１０’’ｂとを含む。
【００７１】
図４に示すような本発明の好ましい第２実施形態による固定側シールカップ１０’’に中央アーク遮蔽板１１を設置する方法を説明する。
【００７２】
固定側シールカップ１０’’の１つの円形の突出案内部１０’’ａ−２が中央アーク遮蔽板１１の内径部に接触するように、中央アーク遮蔽板１１の内部に１つの円形の突出案内部１０’’ａ−２を嵌めると、中央アーク遮蔽板１１が半径方向の一側に偏ることなく位置合わせされる。
【００７３】
その後、中央アーク遮蔽板１１の底面と固定側シールカップ１０’’の水平部とを溶接することにより、中央アーク遮蔽板１１の設置を完了することができる。
【００７４】
図５は、本発明の好ましい第３実施形態による中央アーク遮蔽板の設置のための構成を示す真空インタラプタの部分横断面図である。図５に示すように、本発明の好ましい第３実施形態によれば、固定側シールカップ１０’’は、突出案内部１０’’ａとして、１つの円周に沿って形成される複数の円弧状の突出案内部１０’’ａ−３を含む。図２及び図５に示すように、本発明の好ましい第３実施形態による固定側シールカップ１０’’は、セラミック容器８に溶接される垂直部と、垂直部から直角に折り曲げられて水平方向に延びる水平部と、水平部から垂直方向に突設された１つの円周に沿って形成される複数の円弧状の突出案内部１０’’ａ−３と、固定電極１が貫通できるように中心に形成される中心通孔１０’’ｂとを含む。
【００７５】
図５に示すような本発明の好ましい第３実施形態による固定側シールカップ１０’’に中央アーク遮蔽板１１を設置する方法を説明する。
【００７６】
固定側シールカップ１０’’の複数の円弧状の突出案内部１０’’ａ−３が中央アーク遮蔽板１１の内径部に接触するように、中央アーク遮蔽板１１の内部に複数の円弧状の突出案内部１０’’ａ−３を嵌めると、中央アーク遮蔽板１１が半径方向の一側に偏ることなく位置合わせされる。
【００７７】
その後、中央アーク遮蔽板１１の底面と固定側シールカップ１０’’の水平部とを溶接することにより、中央アーク遮蔽板１１の設置を完了することができる。
【００７８】
本発明による真空インタラプタにおいて、１つの円形の突出案内部１０’’ａ−２の直径、又は複数の円弧状の突出案内部１０’’ａ−３が形成する１つの円周の直径は、中央アーク遮蔽板１１の内部に圧入可能に、中央アーク遮蔽板１１の内径に対応するように予め決定される。
【００７９】
本発明による真空インタラプタにおいて、好ましい実施形態による固定側シールカップ１０’’の円形、円周状、突起状の突出案内部１０’’ａは、次のように簡単に形成することができる。すなわち、各実施形態による固定側シールカップ１０’’の突出案内部１０’’ａの円形、円周状、突起状に対応して突設された型枠上に固定側シールカップ１０’’を載置してプレスすることにより、簡単にエンボス形成を行うことができる。
【００８０】
前述したような本発明による真空インタラプタ１００は、固定側シールカップ１０’’から垂直方向に突設される突出案内部１０’’ａを含むことにより、中央アーク遮蔽板１１を設置する際に、突出案内部１０’’ａを中央アーク遮蔽板１１の内径部に接触するように嵌めるだけで中央アーク遮蔽板１１が位置合わせされるので、中央アーク遮蔽板１１の半径方向の位置合わせを案内することができ、中央アーク遮蔽板１１が半径方向の一側に偏って設置される現象が防止され、設置が容易になる。
【符号の説明】
【００８１】
１    固定電極
２    固定接点
３    可動電極
４    可動接点
５    蛇腹管
６    蛇腹管保護用の第１遮蔽板
７    可動側シールカップ
７ａ    蛇腹管保護用の第２遮蔽板
８    セラミック容器
９    固定側蓋板
１０’’    固定側シールカップ
１０’’ａ−１    突起案内部
１０’’ａ−２    円形の突出案内部
１０’’ａ−３    円弧状の突出案内部
１０’’ｂ    中心通孔
１１    中央アーク遮蔽板
１２    スプラッシュ遮蔽板
１３    可動側蓋板
１００    真空インタラプタ
【図１】
0005491597.tif 000002
【図２】
0005491597.tif 000003
【図３】
0005491597.tif 000004
【図４】
0005491597.tif 000005
【図５】
0005491597.tif 000006
【図６】
0005491597.tif 000007
【図７】
0005491597.tif 000008
【図８】
0005491597.tif 000009